(57)【特許請求の範囲】
【請求項１】
隣接する空間を仕切るドアシステムであって、
板状に形成された吊元パネルと、
該吊元パネルに隣接配置され、該吊元パネルに開閉可能に設けられたドアと、
該ドアの戸先側に隣接配置され、板状に形成された戸先パネルと、
前記ドアの縁部に配置され、鉛直断面視コ字状をなす第一騒音低減機構と、
天井側に固定され、前記吊元パネル及び前記戸先パネルの上部を係止する上レールと、
前記上レールの下面に配置され、鉛直断面視コ字状をなす第二騒音低減機構と、を備え、
前記第一騒音低減機構は、
前記ドアの縁部に沿って配置され、前記ドアの内方に向かって貫通する第一開口部が形成された第一開口形成壁部と、
該第一開口形成壁部に設けられ、前記第一開口部の前記ドアの板厚方向の両側から前記ドアの内方に向かって延びる隔壁部と、を有し、
前記第一騒音低減機構は、前記ドアの上端部に配置され、
前記第二騒音低減機構は、
前記上レールの下面に沿って配置され、上方に向かって貫通する第二開口部が形成された第二開口形成壁部と、
該第二開口形成壁部に設けられ、前記第二開口部の前記ドアの板厚方向の両側から前記上レールの内方に向かって延びる隔壁部と、を有し、
前記第一騒音低減機構と前記第二騒音低減機構とは、前記ドアが閉まった状態で、前記第一開口部と前記第二開口部とを対向させるように配置されていることを特徴とするドアシステム。
【発明の詳細な説明】
【技術分野】
【０００１】
本発明は、ドアシステムに関するものである。
【背景技術】
【０００２】
従来から、マンション等の集合住宅や戸建住宅等においては、隣接する居室等の空間の間を出入り可能とする開きドアが間仕切り等の壁に設けられている。ドアは、壁に縦枠及び上枠等のドア枠が固定され、縦枠に蝶番等の開閉具を介してドア本体が取り付けられている。
【０００３】
また、壁にドアが取り付けられ、ドアの側面及び壁におけるドアの側面と対向する部分に、複数の音響管が隣接配置された遮音器が設けられたものが提案されている（下記特許文献１参照）。
【先行技術文献】
【特許文献】
【０００４】
【特許文献１】特開２０１２−６７５４８号公報
【発明の概要】
【発明が解決しようとする課題】
【０００５】
壁にドアを設置する一般的な施工方法としては、施工現場で、間仕切り壁にドア枠をビス等の固定具で固定して、ドア枠に戸当たり、蝶番を取り付けた後に、ドアを設置する方法が知られている。この方法では、ドア枠を間仕切り壁に固定したり、戸当たりをドア枠に取り付けたり等の種々の木建具工事が生じるため、現場での施工に時間がかかるという問題点がある。
さらに、上記の特許文献１に記載された遮音器を設ける構成では、施工現場で遮音器を壁及びドアに接着材やネジ等の固定具で固定するため、現場での施工に一層時間がかかるという問題点がある。
【０００６】
そこで、本発明は、上記事情に鑑みてなされたものであり、現場での施工性及び遮音性を向上させたドアシステムを提供する。
【課題を解決するための手段】
【００１９】
また、本発明に係るドアシステムは、隣接する空間を仕切るドアシステムであって、板状に形成された吊元パネルと、該吊元パネルに隣接配置され、該吊元パネルに開閉可能に設けられたドアと、該ドアの戸先側に隣接配置され、板状に形成された戸先パネルと、前記ドアの縁部に配置され、鉛直断面視コ字状をなす第一騒音低減機構と、天井側に固定され、前記吊元パネル及び前記戸先パネルの上部を係止する上レールと、前記上レールの下面に配置され、鉛直断面視コ字状をなす第二騒音低減機構と、を備え、前記第一騒音低減機構は、前記ドアの縁部に沿って配置され、前記ドアの内方に向かって貫通する第一開口部が形成された第一開口形成壁部と、該第一開口形成壁部に設けられ、前記第一開口部の前記ドアの板厚方向の両側から前記ドアの内方に向かって延びる隔壁部と、を有し、前記第一騒音低減機構は、前記ドアの上端部に配置され、前記第二騒音低減機構は、前記上レールの下面に沿って配置され、上方に向かって貫通する第二開口部が形成された第二開口形成壁部と、該第二開口形成壁部に設けられ、前記第二開口部の前記ドアの板厚方向の両側から前記上レールの内方に向かって延びる隔壁部と、を有し、前記第一騒音低減機構と前記第二騒音低減機構とは、前記ドアが閉まった状態で、前記第一開口部と前記第二開口部とを対向させるように配置されていることを特徴とする。
【００２０】
このように構成されたドアシステムでは、ドアの縁部とその周りの隙間が音波の波長に対して狭く、ドアの縁部と対向する面（天井面、床面、吊元パネルの側面、戸先パネルの側面等）の音圧反射率が高い場合には、第一開口部を有する第一騒音低減機構により、ドアの縁部の一部分の音響インピーダンス比がほぼ０となり、透過音が低減される。
また、第一騒音低減機構と第二騒音低減機構とが、第一開口部及び第二開口部とを対向させるように対向配置されるため、ドアの上端部及び上レール下面の一部分の音響インピーダンス比がほぼ０となり、透過音が低減される。
【発明の効果】
【００２３】
本発明に係るドアシステムによれば、現場での施工性及び遮音性を向上させることができる。
【図面の簡単な説明】
【００２４】
【図１】本発明の一実施形態に係るドアシステムを示す（ａ）正面図、（ｂ）芯材部分の拡大断面図である。
【図２】図１のＡ−Ａ断面図である。
【図３】図１のＢ−Ｂ断面図である。
【図４】図１のＣ−Ｃ断面図である。
【図５】本発明の一実施形態の変形例に係るドアシステムを示し、（ａ）Ｂ−Ｂに相当する箇所で切断した断面図、（ｂ）第一騒音低減機構、第二騒音低減機構の断面図である。
【発明を実施するための形態】
【００２５】
本発明の一実施形態に係るドアシステムについて、図面を用いて説明する。
図１は、本発明の一実施形態に係るドアシステムを示す（ａ）正面図、（ｂ）芯材部分の拡大断面図である。図２は、図１のＡ−Ａ断面図である。図３は、図１のＢ−Ｂ断面図である。図４は、図１のＣ−Ｃ断面図である。
【００２６】
図１から図４に示すように、ドアシステム１００は、例えば、マンションやアパート等の集合住宅に設置され、隣接する居室等の空間Ｐ１，Ｐ２を仕切るものである。なお、ドアシステム１００は、戸建等の一般の住宅等にも設置可能である。
【００２７】
ドアシステム１００は、上レール１と、下レール２と、吊元パネル５と、戸先パネル６と、ドア７と、を備えている。
【００２８】
上レール１は、天井側に設けられ、吊元パネル５、ドア７及び戸先パネル６の上側に連続して配置されている。
【００２９】
図４に示すように、上レール１は、天井面Ｄに沿って配置され断面視矩形状に形成された上部取付部１１と、上部取付部１１の下面１１Ｂに設けられ断面視矩形状に形成された上部レール部１２と、を有している。
【００３０】
上部取付部１１及び上部レール部１２は、例えば木材や鋼材等で構成されている。上部レール部１２は、接着や不図示の固定具により上部取付部１１に固定されている。
【００３１】
本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００３２】
図３に示すように、ドア７が設置される箇所では、上レール１は上部取付部１１のみが設けられ、上部レール部１２は設けられていない。
【００３３】
また、図４に示すように、上部取付部１１の上面１１Ｕには、ゴム材等で構成された弾性材１６が設けられていてもよい。弾性材１６が設けられた上部取付部１１は、ビス等の固定具１１Ｘで天井面Ｄに固定されている。弾性材１６により、天井面Ｄと上レール１との間の隙間が生じないように構成されている。なお、弾性材１６は、吊元パネル５、ドア７及び戸先パネル６の上側に連続して設けられていてもよい。
なお、上部レール部１２の下側から、上部取付部１１及び弾性材１６を貫通するように、ビス等の固定具（不図示）で、上レール１が天井面Ｄに固定される構成であってもよい。
【００３４】
また、吊元パネル５及び戸先パネル６が設置される箇所では、上部取付部１１の下面１１Ｂには、上部取付部１１の延在方向に沿って、ゴム製のガスケット１７が設けられている。ガスケット１７は、上部レール部１２を挟んで両側（間仕切りパネル３の厚み方向の両側）に設けられている。
【００３５】
下レール２は、床側に設けられ、吊元パネル５及び戸先パネル６の下側に連続して配置されている。
【００３６】
下レール２は、床面側に設けられている。下レール２は、床面Ｆに沿って配置され断面視矩形状に形成された下部支持部２１と、下部支持部２１の上面２１Ｕに設けられ断面視矩形状に形成された下部レール部２２と、を有している。下部支持部２１及び下部レール部２２は、例えば木材や鋼材等で構成されている。
【００３７】
下部支持部２１の下面２１Ｂには、ゴム材等で構成された弾性材２６が設けられていてもよい。下レール２は、下部レール部２２の上からビス等の固定具２２Ｘで、下部支持部２１及び弾性材２６を貫通して床面Ｆに固定されている。弾性材２６により、床面Ｆと下レール２との間の隙間が生じないように構成されている。
【００３８】
本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００３９】
吊元パネル５及び戸先パネル６は、板状に形成されている。吊元パネル５及び戸先パネル６は、四方枠状に形成された四方枠３０と、四方枠３０の内部に設けられた遮音部材４０と、四方枠３０の両面に設けられた表面材４６と、を有している。本実施形態では、吊元パネル５及び戸先パネル６の寸法は、例えば幅２５０ｍｍ、高さ２３９５ｍｍ、厚さ６０ｍｍとされている。
【００４０】
四方枠３０は、上桟３１と、下桟３４と、上桟３１の端部と下桟３４の端部とを鉛直方向に連結する縦桟３７と、を有している。
【００４１】
上桟３１は、断面視矩形状に形成され、上面３１Ｕには下方に凹む上部凹溝３２が形成されている。上部凹溝３２は、上桟３１の延在方向に沿って形成されている。
【００４２】
上部凹溝３２には、上レール１の上部レール部１２が嵌め込まれている。上桟３１の上面３１Ｕと上部取付部１１の下面１１Ｂとの間には、隙間３１Ｓが形成されている。上レール１の上部取付部１１に設けられたガスケット１７により、隙間３１Ｓの上下方向は塞がれている。
【００４３】
下桟３４は、断面視矩形状に形成され、下面３４Ｂには上方に凹む下部凹溝３５が形成されている。下部凹溝３５は、下桟３４の延在方向に沿って形成されている。
【００４４】
下部凹溝３５の下面には、不図示の滑り材が設けられている。滑り材は、下桟３４の延在方向に離間して複数設けられている。下部凹溝３５には下レール２の下部レール部２２が嵌め込まれ、滑り材が下部レール部２２の上面に当接している。
【００４５】
ドア７側に配置された縦桟３７には、ドア７側に向かって突出する戸当たり部３７Ａが設けられている。戸当たり部３７Ａは、見込み方向において、ドア７が開く側Ｑと反対側に設けられている。
【００４６】
戸当たり部３７Ａは、ドア７との隙間を塞ぐゴム材や樹脂材等で構成されたガスケット（閉塞部）３８が設けられている。ガスケット３８により、戸当たり部３７Ａとドア７の端部との隙間３８Ｓは塞がれている。なお、図２では、ドア７側に配置された縦桟３７はドア７の厚み方向に分割した２本で構成されているが、一体として１本で構成されていてもよい。
【００４７】
また、壁Ｗに隣接して配置された吊元パネル５の縦桟３７の側面には、内方に向かって凹む側部凹溝３９が形成されている。側部凹溝３９は、縦桟３７の延在方向に沿って形成されている。
【００４８】
側部凹溝３９と壁部Ｗとの間には、やとい実５１が嵌め込まれている。やとい実５１は、ビス等の固定具（不図示）により壁部Ｗに固定されていてもよい。
【００４９】
遮音部材４０は、隔壁４１により多数の空隙部４１Ｓが形成されたハニカム材（芯材）４２と、ハニカム材４２の空隙部４１Ｓに充填された吸音材４３と、を有している。遮音部材４０は、例えば上桟３１、下桟３４、表面材４６で囲まれた空間全体にわたって配置されている。なお、遮音性能がさほど必要とされていない場合には、四方枠３０の内部に遮音部材４０が設けられていない構成や、ハニカム材４２のみが設けられていて吸音材４３が設けられていなくてもよい。
【００５０】
ハニカム材４２は、例えば紙や樹脂の材料で断面視六角形のハニカム形状に形成されている。吸音材４３として、例えば発砲樹脂等により形成され、空隙部４１Ｓに隙間なく充填されている。なお、芯材は、断面視六角形のものに限られず、多数の空隙部４１Ｓが形成されていれば、断面視円形状、四角形等であってもよい。
【００５１】
表面材４６は、化粧が施された板材であり、例えばオレフィンシートが貼られた化粧版を採用することができる。
【００５２】
図３に示すように、ドア７は、板状に形成されている。ドア７は、四方枠（枠体）７０と、四方枠７０の内部に設けられた遮音部材４０と、四方枠７０の両面に設けられた表面材８０と、を有している。ドア７は、吊元パネル５の縦桟３７に不図示の蝶番により開閉自在に取り付けられている。
【００５３】
四方枠７０は、ドア７の上部に設けられた一対の上桟７１，７２を有している。上側の上桟７１には、ゴム材や樹脂材等で構成されたガスケット（閉塞部）７３が設けられている。ガスケット７３により、上桟７１の上面７Ｕと上部取付部１１の下面１１Ｂとの間の隙間３１Ｓの上下方向は塞がれている。なお、隙間３１Ｓの高さ寸法は、例えば１０ｍｍ程である。
【００５４】
四方枠７０は、ドア７の下側に設けられた下桟７５を有している。下桟７５の下部には、吸音材７６が設けられている。吸音材７６は、グラスウール等を採用することができる。
【００５５】
吸音材７６の下側には、上下方向の貫通孔が形成された有孔板７７が設けられている。ドア７の下端部である有孔板７７と床面Ｆとの間には、通気用空隙７７Ｓが形成されている。なお、通気用空隙７７Ｓの高さ寸法は、例えば１０〜１５ｍｍ程度である。
なお、有孔板７７の下側に、毛状に形成されたモヘア（不図示）を設けて、ドア７の下面７Ｂと床面Ｆとの間の通気用空隙７７Ｓを所定量塞いでもよい。
【００５６】
また、四方枠７０の内部には、吊元パネル５及び戸先パネル６と同様に、遮音部材４０が設けられている。
【００５７】
次に、上記のドアシステム１００の施工方法について説明する。
まず、上レール１の上部取付部１１の上面１１Ｕに弾性材１６を貼付し、下レール２の下部支持部２１の下面２１Ｂに弾性材２６を貼付しておく。さらに、ドア７の上面７Ｕに、ガスケット７３を貼付しておく。
【００５８】
そして、弾性材１６が貼付された上レール１の上部取付部１１を天井面Ｄに固定具１１Ｘで固定する。この際に、吊元パネル５及び戸先パネル６が設置される箇所では、上レール１の下面に、上部レール部１２を固定する。
【００５９】
上レール１の上部取付部１１の下面１１Ｂに、上部レール部１２を挟んで両側にガスケット１７を取り付ける。なお、ガスケット１７は、上レール１を天井面Ｄに固定する前の段階で、上部取付部１１に取り付けておいてもよい。
【００６０】
また、吊元パネル５及び戸先パネル６が設置される箇所に、弾性材２６が貼付された下レール２を床面Ｆに固定具２２Ｘで固定する。
【００６１】
次に、予め工場等で製造しておいた吊元パネル５、戸先パネル６及びドア７を用意する。上レール１及び下レール２の延在方向の端部（壁Ｗと反対側）側に、吊元パネル５を配置する。吊元パネル５の上部凹溝３２及び下部凹溝３５に、それぞれ上レール１の上部レール部１２及び下レール２の下部レール部２２を嵌め込み、上レール１及び下レール２に沿って、吊元パネル５を所定の位置までスライドさせる。この際に、吊元パネル５の下端部には不図示の滑り材が設けられているため、スライドさせやすい。
【００６２】
吊元パネル５の側部凹溝３９にやとい実５１を嵌め込み、吊元パネル５を壁部Ｗに当接させる。
【００６３】
吊元パネル５の縦桟３７に、蝶番を介してドア７を固定する。次いで、戸先パネル６も吊元パネル５と同様に、所定の位置までスライドさせる。
【００６４】
吊元パネル５及び戸先パネル６は、上下端部に設けられた不図示のアングルにより、それぞれ上レール１及び下レール２に固定する。
【００６５】
このようにして、吊元パネル５、ドア７及び戸先パネル６は設置される。なお、上レール１と吊元パネル５、ドア７及び戸先パネル６の上端部との間の隙間３１Ｓの上下方向は、ガスケット１７により塞がれている。
【００６６】
なお、吊元パネル５及び戸先パネル６の上面３１Ｕと上レール１の上部取付部１１の下面１１Ｂとの間の隙間３１Ｓの高さが十分にある場合には、吊元パネル５及び戸先パネル６の上部凹溝３２に上レール１の上部レール部１２を嵌め込み、吊元パネル５及び戸先パネル６を上方に持ち上げた後に、下部凹溝３５に下部レール部２２を嵌め込んで下方に移動させて、吊元パネル５及び戸先パネル６を上レール１に係止及び下レール２に支持させてもよい。吊元パネル５及び戸先パネル６を上方に持ち上げた際には、ゴム製のガスケット１７は弾性変形して圧縮されるが、吊元パネル５及び戸先パネル６を下方に移動させた際に元の状態に戻り、隙間３１Ｓの上下方向は、ガスケット１７により塞がれる。
【００６７】
このように構成されたドアシステム１００では、予め工場等で吊元パネル５、ドア７及び戸先パネル６を製造しておけば、施工現場で、当該吊元パネル５、ドア７及び戸先パネル６を運搬してきて、隣接する空間Ｐ１，Ｐ２の間に設置するだけで、空間Ｐ１，Ｐ２の間の出入りを可能とするドア７及び空間Ｐ１，Ｐ２の間を仕切る壁を設置することができる。よって、ドア枠や戸当たり等の木製品を空間Ｐ１，Ｐ２の間を仕切る壁等に取り付ける工事が省略され、現場での施工性が向上される。
【００６８】
また、ドア７は、四方枠７０との両側の表面材８０とで囲まれた部分には、隔壁４１により多数の空隙部４１Ｓが形成されたハニカム材４２が配置され、空隙部４１Ｓには吸音材４３が充填されている。よって、ハニカム材４２によりドア７の剛性が高められるとともに、吸音材４３により遮音性が向上される。
【００６９】
また、ドア７の上桟７１に設けられたガスケット７３により、上桟７１の上面７Ｕと上部取付部１１の下面１１Ｂとの間の隙間３１Ｓが塞がれている。また、吊元パネル５及び戸先パネル６の戸当たり部３７Ａに設けられたガスケット３８により、戸当たり部３７Ａとドア７の端部との隙間３８Ｓは塞がれている。よって、これらの隙間３１Ｓ，３８Ｓからの音漏れが抑制され、ドアシステム１００の遮音性が向上される。
【００７０】
また、ドア７の下桟７５の下部には、吸音材７６が設けられているため、通気用空隙７７Ｓを通過する音は有孔板７７を通過して吸音材７６により吸音されるため、遮音性が向上される。
【００７１】
（変形例）
次に、上記に示す実施形態の変形例について、主に図５を用いて説明する。
図５に示すように、ドアシステム１００Ｘにおいて、ドア７の上下端部には、それぞれ第一騒音低減機構１１０が設けられている。また、上レール１の上部取付部１１には、ドア７が設置される箇所において、第二騒音低減機構１２０が設けられている。
【００７２】
第一騒音低減機構１１０は、ドア７の板厚方向に沿う鉛直断面視コ字状をなしている。第一騒音低減機構１１０は、対向する一対の側壁部１１１と、一対の側壁部１１１の一端どうしを連結する底壁部１１２と、一対の側壁部１１１の他端に設けられた第一開口形成壁部１１３と、を有している。側壁部１１１と底壁部１１２及び第一開口形成壁部１１３とは、直交している。
【００７３】
第一開口形成壁部１１３には、第一開口形成壁部１１３の板厚方向に貫通する第一開口部１１４が形成されている。第一開口形成壁部１１３には、第一開口部１１４のドア７の板厚方向の両側から底壁部１１２側に延びる隔壁部１１５が設けられている。
【００７４】
第一開口部１１４及び一対の隔壁部１１５に沿って、スリット状のスリット状開口部１１６が形成されている。
【００７５】
ドア７の上端部では、底壁部１１２を上桟７２に当接させるととともに、第一開口形成壁部１１３がドア７の上面７Ｕに沿って配置されている。スリット状開口部１１６は、上下方向に開口し、ドア７の幅方向に延びている。
【００７６】
また、ドア７の下端部では、底壁部１１２を下桟７５に当接させるととともに、第一開口形成壁部１１３がドア７の下面７Ｂに沿って配置されている。スリット状開口部１１６は、上下方向に開口し、ドア７の幅方向に延びている。
【００７７】
第二騒音低減機構１２０は、第一騒音低減機構１１０と同様に、一対の側壁部１２１と、底壁部１２２と、第二開口形成壁部１２３と、を有している。
【００７８】
第二開口形成壁部１２３には、第二開口形成壁部１２３の板厚方向に貫通する第二開口部１２４が形成されている。第二開口形成壁部１２３には、第二開口部１２４のドア７の板厚方向（上レール１の厚み方向）の両側から底壁部１２２側に延びる隔壁部１２５が設けられている。
【００７９】
第二開口部１２４及び一対の隔壁部１２５に沿って、スリット状のスリット状開口部１２６が形成されている。
【００８０】
上レール１に、第二開口形成壁部１２３が上レール１の下面１１Ｂに沿って配置されている。スリット状開口部１２６は、上下方向に開口し、ドア７の幅方向に延びている。
【００８１】
第一騒音低減機構１１０と第二騒音低減機構１２０とは、ドア７が閉まった状態で、第一開口部１１４と前記第二開口部１２４とを対向させるように配置されている。
【００８２】
図５（ｂ）に示すように、第一騒音低減機構１１０、第二騒音低減機構１２０の寸法の一例では、側壁部１１１，１２１の長さ寸法Ｂが３０ｍｍ、底壁部１１２，１２２の長さ寸法Ｃが３０ｍｍ、第一開口部１１４、第二開口部１２４の幅寸法ａが１０ｍｍ、隔壁部１１５，１２５の長さ寸法ｌが５ｍｍとされている。
【００８３】
次に、第一騒音低減機構１１０、第二騒音低減機構１２０による騒音低減方法の原理について説明する。ここで、第一騒音低減機構１１０、第二騒音低減機構１２０を総称して、騒音低減機構と称する。
【００８４】
一般的に、空間を騒音が伝搬するとき、空間の断面（騒音伝搬方向に対して垂直な面）が騒音の波長に比べて半分以下の場合には、騒音は隙間内を平面波として一次元的に伝搬する。
【００８５】
ドア７を挟んで一方側の空間（Ｐ１またはＰ２）に騒音源が存在し、騒音源からの騒音が他方側の空間（Ｐ２またはＰ１）に伝搬されるものをする。
【００８６】
ドア７の上面７Ｕ、上部取付部１１の下面１１Ｂ及び床面Ｆは、音響的にソフトな状態であることを想定している。音響的にソフトな状態、すなわちドア７の上面７Ｕ、上部取付部１１の下面１１Ｂ及び床面Ｆにおける音響インピーダンス比が０である場合、上流側から伝搬してきた騒音は上流側へ反射され、下流側へ伝搬しないことが知られている。
【００８７】
騒音低減機構の各寸法が波長に対して十分に小さい場合、スリット状開口部１１６，１２６における音響インピーダンス比Ｚは、次式（１）で求めることができる。
【００８８】
【数１】
0006782912.tif 000002
【００８９】
ただし、ｆは騒音の周波数、ｃは音速、ρは媒質（空気）密度を表す。また、Ｖｎはスリット状開口部１１６，１２６と隔壁部１１５，１２５とで囲まれた図５（ｂ）の斜線部以外の空気の体積で、開口端補正に関連して次式（２）で計算される。なお、式（２）における{}内の第２項が、開口端補正に関連する項である。また、図５（ｂ）における斜線部の空気は、共鳴器として機能する騒音低減機構の空気層に相当する。
なお、以下の式におけるＢ，Ｃ，ａ，ｌは、図５（ｂ）に示す部分の寸法である。また、Ａは騒音低減機構の延在長さ（ドア７の幅方向の長さ）寸法である。
【００９０】
【数２】
0006782912.tif 000003
【００９１】
また、Ｖは騒音低減装置の空洞部の体積（空気層の体積）で、次式（３）で計算される。
【００９２】
【数３】
0006782912.tif 000004
【００９３】
また、Ｓはスリット状開口部の面積で、次式（４）で計算される。
【００９４】
【数４】
0006782912.tif 000005
【００９５】
式（１）の右辺第１項のｒは、共鳴器として機能する騒音低減装置の隔壁部１１５，１２５表面と空気との間に生じる摩擦等の音響抵抗である。隔壁部１１５，１２５を金属等表面が平滑な材料で構成する場合、音響抵抗ｒは極めて小さな値となり、次式（５）を満足する共鳴周波数ｆにおいてスリット状開口部１１６，１２６の開口における音響インピーダンス比Ｚがほぼ０となる。
【００９６】
【数５】
0006782912.tif 000006
【００９７】
このような共鳴器として機能する２つの騒音低減装置を、上レール１及びドア７の上端部に対向配置すると、上記の周波数においては対向するスリット状開口部１１６，１２６が音響的にソフトな状態となり、上流側から伝搬してきた周波数ｆの騒音は上流側へ反射され、下流側に伝搬しない。つまり、騒音源側の空間側から入射した騒音が、ドア７の上部において、ドア７の上面７Ｕと上部取付部１１の下面１１Ｂとの間の隙間３１Ｓを通過することが抑制される。
【００９８】
また、ドア７の下部において、通気用空隙７７Ｓが騒音の音波の波長に対して短く、床面Ｆの音圧反射率が互い場合には、同様に、騒音が通気用空隙７７Ｓを通過することが抑制される。
【００９９】
また、ドア７の表面材８０の裏面（四方枠７０側の面）には、ボード材や合板等の裏打ち材８１が設けられている。裏打ち材８１は、上端部がドア７の上桟７２に当接するとともに、下端部が下桟７５に当接するように配置されている。裏打ち材８１を設けることで、表面材８０と合わせて面材の質量が増加するため、遮音性は向上する。
また、裏打ち材８１とドア７の上桟７２との間及び下桟７５との間に隙間があると、一般的に、当該隙間からの透過音により全体の遮音性能が低下する。本発明では、裏打ち材８１はその上端部と上桟７２との間及び下端部と下桟７５との間に隙間が生じないように配置されているため、透過音による遮音性能の低下が防止される。
なお、裏打ち材８１は一対の表面材８０の両方に設けられていることが好ましいが、一方の表面材８０のみに設けられていてもよい。
【０１００】
なお、上述した実施の形態において示した組立手順、あるいは各構成部材の諸形状や組み合わせ等は一例であって、本発明の主旨から逸脱しない範囲において設計要求等に基づき種々変更可能である。
【０１０１】
例えば、遮音部材４０として、ドア７の表面材８０の裏面に、不図示の制振材を設けてもよい。ゴム系、合金系、アスファルト系、高分子系等の制振部材を、裏打ち材８１のように表面材８０の裏面に貼付してもよい。あるいは、合成樹脂、天然樹脂、ゴム等の高分子材、可塑剤、効果促進剤等の補助剤、溶剤、充填材、発泡剤、着色顔料等で構成される制振塗料（塗布型制振材）を、表面材８０の裏面に塗装してもよい。これらの塗装により形成される制振コーティング層が伸縮変形することにより、熱エネルギーへ変換され、振動を抑制することができる。また、アクリル樹脂と、振動を摩擦熱に変換するための無機粒子とを主成分とする制振塗料であってもよい。これら制振部材及び制振塗料により、遮音性が向上する。
なお、制振材は一対の表面材８０の両方に設けられていることが好ましいが、一方の表面材８０のみに設けられていてもよい。
【符号の説明】
【０１０２】
１…上レール
２…下レール
５…吊元パネル
６…戸先パネル
７…ドア
３１Ｓ…隙間
３８…ガスケット（閉塞部）
３８Ｓ…隙間
４０…遮音部材
４１…隔壁
４２…ハニカム材（芯材）
４３…吸音材
７０…四方枠（枠体）
７３…ガスケット（閉塞部）
７６…吸音材
７７Ｓ…通気用空隙
８０…表面材
８１…裏打ち材
１００…ドアシステム
１１０…第一騒音低減機構
１１３…第一開口形成壁部
１１４…第一開口部
１１５…隔壁部
１２０…第二騒音低減機構
１２３…第二開口形成壁部
１２４…第二開口部
１２５…隔壁部
Ｄ…天井面
Ｆ…床面
Ｐ１，Ｐ２…空間
Ｗ…壁部
【図１】
0006782912.tif 000007
【図２】
0006782912.tif 000008
【図３】
0006782912.tif 000009
【図４】
0006782912.tif 000010
【図５】
0006782912.tif 000011